(57)【要約】【課題】取り扱いが容易であり投薬管理も簡単にできる注射器具の収容具を提供することを課題とする。【解決手段】注射器具用の収容具であり、開口を有する箱本体と、該箱本体の開口を塞ぐ蓋体とを備え、前記蓋体は、前記注射器具を構成するキャップ付きのシリンジから該キャップを引き抜く引抜手段と、前記シリンジを直接的又は間接的に保持する保持手段とを有し、前記引抜手段は、前記蓋体の表面側から前記キャップ付きのシリンジが挿入される挿入部と、該挿入部に挿入された前記キャップに係止する係止爪とを有し、前記保持手段は、少なくとも前記シリンジが挿し込まれる挿込部と、該挿込部に挿し込まれた前記シリンジを直接的又は間接的に抜け止めするための抜止部とを有し、前記蓋体には、前記注射器具又は前記シリンジを保持可能な前記保持手段が、処方された投薬数と同数設けられている注射器具用の収容具。【選択図】図１
2019111079.tif 000002
【特許請求の範囲】
【請求項１】
自己注射に用いる注射器具を収容する注射器具用の収容具であって、
開口が形成された箱本体と、
該箱本体の開口を塞ぐ蓋体とを備え、
前記蓋体は、
前記注射器具を構成するキャップ付きのシリンジから該キャップを引き抜くための引抜手段と、
前記シリンジを直接的又は間接的に保持する保持手段とを有し、
前記引抜手段は、
前記蓋体の表面側から前記キャップ付きのシリンジが挿入される挿入部と、
該挿入部に挿入された前記キャップに係止する係止爪とを有し、
前記保持手段は、
少なくとも前記シリンジが挿し込まれる挿込部と、
該挿込部に挿し込まれた前記シリンジを直接的又は間接的に抜け止めするための抜止部とを有し、
前記蓋体には、前記シリンジを直接的又は間接的に保持可能な状態の前記保持手段が、処方された投薬数と同数設けられている注射器具用の収容具。
【請求項２】
前記注射器具は、自己注射を補助すべく前記シリンジを取り付ける補助具を備え、
前記補助具は、前記シリンジに設けられている注射針の刺針深さを決定すべく、該注射針の周囲に配置されるガイド部を有し、
前記挿入部は、筒状であるとともに前記蓋体の表面上に立設されるように形成され且つ前記キャップ付きのシリンジが内部に挿入された状態で該シリンジと前記ガイド部との間に介在するように構成される
請求項１に記載の注射器具用の収容具。
【請求項３】
前記挿込部は筒状に形成され、
前記抜止部は、
前記挿込部の開口上に設けられる突出爪部を有し、
前記突出爪部には、前記シリンジを直接的又は間接的に載置可能な載置面と、
前記載置面の下方側で前記挿込部に挿し込まれた前記シリンジの上方側への移動を規制する規制部とが含まれている
請求項１又は請求項２に記載の注射器具用の収容具。
【発明の詳細な説明】
【技術分野】
【０００１】
本発明は、自己注射に用いる注射器具を収容する注射器具用の収容具に関する。
【背景技術】
【０００２】
従来、リウマチや糖尿病等の患者が自己注射に使用したシリンジを収容する収容具が提供されている。例えば、特許文献１に開示されている収容具（容器）は、容器本体と容器本体に離脱不能に嵌着される蓋と備えており、該蓋は、投入口が形成された蓋本体と、該投入口を開閉すべく蓋本体に設けられた副蓋とで構成されている。
【０００３】
患者は、自己注射に使用したシリンジに対してキャップを取り付け、シリンジとキャップとをセットにした状態で投入口から容器本体内に投入している。
【先行技術文献】
【特許文献】
【０００４】
【特許文献１】特開２０１５−２１３６９４号公報
【発明の概要】
【発明が解決しようとする課題】
【０００５】
ところで、医師の処方通りに投薬が行われているかの管理（投薬管理）を行う場合、収容具に収容されている使用済みのシリンジの数を確認することがあるが、上記構成の収容具では、使用済みのシリンジが容器本体内へと投入されるため、使用済みのシリンジの数を目視で確認することが困難であった。
【０００６】
また、患者の容体によっては自己注射に用いるシリンジからキャップを外すことが困難である、という問題も依然として起きている。
【０００７】
そこで、本発明は、かかる実情に鑑み、取り扱いが容易であり投薬管理も簡単にできる注射器具の収容具を提供することを課題とする。
【課題を解決するための手段】
【０００８】
本発明の注射器具用の収容具は、
自己注射に用いる注射器具を収容する注射器具用の収容具であって、
開口が形成された箱本体と、
該箱本体の開口を塞ぐ蓋体とを備え、
前記蓋体は、
前記注射器具を構成するキャップ付きのシリンジから該キャップを引き抜くための引抜手段と、
前記シリンジを直接的又は間接的に保持する保持手段とを有し、
前記引抜手段は、
前記蓋体の表面側から前記キャップ付きのシリンジが挿入される挿入部と、
該挿入部に挿入された前記キャップに係止する係止爪とを有し、
前記保持手段は、
少なくとも前記シリンジが挿し込まれる挿込部と、
該挿込部に挿し込まれた前記シリンジを直接的又は間接的に抜け止めするための抜止部とを有し、
前記蓋体には、前記シリンジを直接的又は間接的に保持可能な状態の前記保持手段が、処方された投薬数と同数設けられている。
【０００９】
上記構成の注射器具用の収容具によれば、キャップ付のシリンジを挿入部に抜き差しするだけでキャップがシリンジから引き抜かれるため、患者がシリンジからキャップを簡単に取り外すことができる。
【００１０】
さらに、前記注射器具用の収容具は、シリンジを直接的又は間接的に保持可能な状態の保持手段が処方された投薬数と同数蓋体に設けられており、また、自己注射に使用したシリンジを挿込部に挿し込めば、抜止部により該シリンジが蓋体に対して抜止されるように構成されているため、処方された投薬数と使用したシリンジの数とを一目で確認することができる。
【００１１】
また、本発明の注射器具用の収容具において、
前記注射器具は、自己注射を補助すべく前記シリンジを取り付ける補助具を備え、
前記補助具は、前記シリンジに設けられている注射針の刺針深さを決定すべく、該注射針の周囲に配置されるガイド部を有し、
前記挿入部は、筒状であるとともに前記蓋体の表面上に立設されるように形成され且つ前記キャップ付きのシリンジが内部に挿入された状態で該シリンジと前記ガイド部との間に介在するように構成されていてもよい。
【００１２】
上記構成の注射器具用の収容具によれば、挿入部にキャップを挿入した状態で注射器具が傾いた際に、ガイド部が挿入部の外周面に当接することにより、注射器具が過度に傾かないようにすることができる。従って、挿入部の軸線方向に対するシリンジの傾きを抑えることにより、注射針が曲がってしまったり、注射針が挿入部の内面に接触してしまうことを避けることができる。
【００１３】
さらに、本発明の注射器具用の収容具において、
前記挿込部は筒状に形成され、
前記抜止部は、
前記挿込部の開口上に設けられる突出爪部を有し、
前記突出爪部には、前記シリンジを直接的又は間接的に載置可能な載置面と、
前記載置面の下方側で前記挿込部に挿し込まれた前記シリンジの上方側への移動を規制する規制部とが含まれていてもよい。
【００１４】
上記構成の注射器具用の収容具によれば、載置面上に直接的又は間接的に載置した使用後のシリンジを押し込むと、規制部によりシリンジの上方側への移動が規制されるため、
簡単な操作で使用後のシリンジを蓋体に固定することができる。
【発明の効果】
【００１５】
以上のように、本発明の注射器具用の収容具は、取り扱いが容易であり投薬管理も簡単にできるという優れた効果を奏し得る。
【図面の簡単な説明】
【００１６】
【図１】図１は、本発明の第一実施形態に係る注射器具用の収容具の斜視図である。
【図２】図２は、同実施形態に係る注射器具用の収容具の平面図である。
【図３】図３は、図２のＩＩＩ−ＩＩＩ断面線における断面図である。
【図４】図４は、図３の領域ＩＶの拡大斜視図である。
【図５】図５は、図２のＶ−Ｖ断面線における断面の斜視図である。
【図６】図６は、注射器具の説明図である。
【図７】図７において、（ａ）は挿入部にキャップ付きシリンジを挿入した状態の説明図であり、（ｂ）は挿入部内からシリンジを引き抜いている状態の説明図である。
【図８】図８において、（ａ）は保持手段にシリンジを載置している状態の説明図であり、（ｂ）は使用後のシリンジが保持手段に固定されている状態の説明図である。
【図９】図９は、本発明の第二実施形態に係る注射器具用の収容具の斜視図である。
【図１０】図１０は、同実施形態に係る注射器具用の収容具の平面図である。
【図１１】図１１は、図１０におけるＸＩ−ＸＩ断面線での断面図である。
【図１２】図１２は、図１１の領域ＸＩＩの拡大斜視図である。
【図１３】図１３は、図１０のＸＩＩＩ−ＸＩＩＩ断面線での断面の斜視図である。
【図１４】図１４は、注射器具の説明図である。
【図１５】図１５は、補助具の側面図である。
【図１６】図１６において、（ａ）は挿入部にキャップ付きシリンジを挿入した状態の説明図であり、（ｂ）は挿入部内からシリンジを引き抜いている状態の説明図である。
【図１７】図１７において、（ａ）は保持手段に補助具を載置している状態の説明図であり、（ｂ）は保持手段に補助具が固定されている状態の説明図である。
【発明を実施するための形態】
【００１７】
以下、本発明の第一実施形態にかかる注射器具用の収容具（以下、収容具と称する）について、添付図面を参照しつつ説明する。
【００１８】
収容具の説明に先立ち、注射器具の説明を行う。注射器具は、図６に示すように、キャップ８０が取り付けられたシリンジ８１（以下、キャップ付きシリンジ８と称する）と、該シリンジ８１を取り付けて自己注射を補助する補助具９と、を備えている。
【００１９】
シリンジ８１は、薬剤等の液体が充填されるバレル８１０と、該バレル８１０内の液体を吐出させるためのプランジャ８１１とを備えている。
【００２０】
バレル８１０は、筒状部８１０ａと、該筒状部８１０ａの軸線方向における一端（前端）に設けられているノズルであって、注射針Ｎ（図７（ｂ）参照）が設けられるノズルと、該筒状部８１０ａの軸線方向における他端（後端）の外周全周から外方（筒状部８１０ａの径方向外方）に向かって延出するフランジ８１０ｂとを有する。
【００２１】
キャップ８０は、注射針Ｎを覆って保護するものであり、バレル８１０の前端部に対して該バレル８１０の軸線方向で着脱（抜き差し）可能である。また、バレル８１０にキャップ８０を装着している状態においては、キャップ８０とバレル８１０（バレル８１０の先端側）との間に隙間Ｓが形成されるようになっている。
【００２２】
補助具９は、シリンジ８１を横たわった状態で収容可能な収容凹部９００が形成された補助具本体９０と、シリンジ８１に設けられている注射針Ｎの刺針深さを決定すべく、該注射針Ｎの周囲に配置されるガイド部９１とを備えている。
【００２３】
ガイド部９１は、補助具本体９０の前端に設けられている。また、ガイド部９１の前面は、自己注射時に患者の皮膚に当接する部分である。なお、本実施形態に係るガイド部９１は、補助具本体９０よりも外形が大きくなっている。
【００２４】
図１に示すように、収容具１は、開口が形成された箱本体２と、箱本体２の開口を塞ぐ蓋体３とを備えている。
【００２５】
箱本体２は、図３に示すように、底面部２０と、該底面部２０の外周縁部全周から起立する立壁部２１と、底面部２０上に立設された筒状の収容筒部２２と、を有する。そのため、箱本体２の開口は、立壁部２１の上端全周によって形成されている。
【００２６】
蓋体３は、図２に示すように、注射器具を構成するキャップ付きシリンジ８から該キャップ８０を引き抜くための引抜手段３０と、シリンジ８１を保持する保持手段３１とを有する。
【００２７】
引抜手段３０は、図４に示すように、蓋体３の表面側からキャップ付きシリンジ８が挿入される挿入部３００と、該挿入部３００に挿入されたキャップ８０に係止する係止爪３０１と、挿入部３００周りに広がる受面部３０２と、該受面部３０２の外周縁部全周から起立する周壁部３０３とを有する。
【００２８】
引抜手段３０では、受面部３０２と周壁部３０３とが一つの凹部を形成するように構成されており、該凹部は、蓋体３の天面３２（蓋体３の最も上方側で広がる面）から下方側に凹状となるように形成されている。
【００２９】
挿入部３００は、筒状であり、内部にキャップ付きシリンジ８を挿入可能となるように構成されている。挿入部３００は、受面部３０２に貫設されており、一方の開口端が受面部３０２の上方に位置し、他方の開口端が受面部３０２の下方に位置するように形成されている。
【００３０】
なお、挿入部３００の内径はキャップ８０の外径よりも大きくなっており、また、挿入部３００の厚みはキャップ８０の外面とガイド部９１との間の隙間寸法よりも小さくなっている。
【００３１】
また、箱本体２に蓋体３が取り付けられている状態においては、挿入部３００が収容筒部２２の上方に配置されるように構成されている。
【００３２】
そのため、本実施形態に係る収容具１は、引抜手段３０によりシリンジ８１から引き抜かれたキャップ８０が挿入部３００から収容筒部２２内へと落下するように構成されている。なお、収容筒部２２の底部から突出部３０１ｂまでの寸法は、処方された投薬数（保持手段３１の数）と同数のキャップ８０を積み重ねた高さと同一又は略同一に設定されている。
【００３３】
係止爪３０１は、挿入部３００の上端から上方に延出する延出部３０１ａと、該係止爪３０１から挿入部３００の軸線方向に対して直交する径方向における内側、すなわち、挿入部３００の径内方向に対応する方向に向けて突出する突出部３０１ｂとを有する。
【００３４】
延出部３０１ａは、可撓性を有しており、挿入部３００の前記径方向に力が作用すると撓むように構成されている。
【００３５】
受面部３０２は、補助具９のガイド部９１が突き当てられる部分である。また、本実施形態では、受面部３０２の上面（蓋体３の表面の一部を構成する面）から突出部３０１ｂまでの寸法が、ガイド部９１の前面からキャップ８０とバレル８１０の間の隙間Ｓまでの寸法と対応するように設定されている。
【００３６】
周壁部３０３は、ガイド部９１の周囲を取り囲むように形成されている。
【００３７】
保持手段３１は、図５に示すように、少なくともシリンジ８１が挿し込まれる挿込部３１０と、該挿込部３１０に挿し込まれたシリンジ８１を直接的又は間接的に抜け止めするための抜止部３１１と、抜止部３１１の周囲を取り囲むように形成された環状壁部３１２とを有する。
【００３８】
また、蓋体３には、シリンジ８１を保持可能な状態の保持手段３１が、処方された投薬数と同数設けられている。
【００３９】
挿込部３１０は、筒状であり、一方の開口端が蓋体３の表面側で開口し、他方の開口端が蓋体３の裏面側で開口している。
【００４０】
抜止部３１１は、挿込部３１０の周囲で起立する起立部３１１ａと、該起立部３１１ａから内側に突出する突出爪部３１１ｂとを有する。なお、突出爪部３１１ｂの上面は、シリンジ８１（フランジ８１０ｂ）を載置するための載置面３１１ｃとして構成されており、内側になるにつれて徐々に下方側に向かうように傾斜している。また、突出爪部３１１ｂの下面は、挿込部３１０に挿し込まれたシリンジ８１（フランジ８１０ｂ）の上方側への移動を規制するための規制部として構成されており、フランジ８１０ｂの上面に係合する係合するように構成されている。
【００４１】
本実施形態に係る収容具１の構成は、以上の通りである。続いて、収容具１の使用方法について、添付図面を参照しつつ説明する。
【００４２】
自己注射を行う場合、まず、キャップ付きシリンジ８を補助具９に取り付ける。そして、図７（ａ）に示すように、補助具９に取り付けたキャップ付きシリンジ８を引抜手段３０の挿入部３００内に挿入し、ガイド部９１の前面を受面部３０２に当接させる。これに伴い、キャップ８０とバレル８１０との間の隙間Ｓに突出部３０１ｂが入り込み、この状態で、図７（ｂ）に示すように、キャップ付きシリンジ８を補助具９ごと引き上げると、キャップ８０に突出部３０１ｂが係合するため、シリンジ８１からキャップ８０が引き抜かれる。なお、シリンジ８１から引き抜かれたキャップ８０は、収容筒部２２内に落下する。
【００４３】
また、収容筒部２２の底部から突出部３０１ｂまでの寸法（高さ）が、処方された投薬数と同数のキャップ８０を収容可能な寸法積み重ねた高さ寸法と同一又は略同一となっているため、処方された投薬数の投薬が完了したことが一目で確認でき、また、新たなキャップ８０を係止爪３０１に係合させることができないようにすることで、処方された投薬数以上のキャップ８０が引抜手段３０を利用して外されてしまうことを防ぐことができる。
【００４４】
自己注射を終えたのち、補助具９からシリンジ８１を取り外し、該シリンジ８１を先端側から挿込部３１０内に挿し込む。そして、図８（ａ）に示すように、シリンジ８１のフランジ８１０ｂを突出爪部３１１ｂ上に重ねた後、さらにプランジャ８１１を下方側に押し込むと、図８（ｂ）に示すように、該フランジ８１０ｂが突出爪部３１１ｂを外方に押し広げながら下方側に移動する。そして、フランジ８１０ｂ全体が突出爪部３１１ｂの下方側に移動すると、該突出爪部３１１ｂが元の位置に戻るため（内側に移動するため）、フランジ８１０ｂの上面と突出爪部３１１ｂの下面とが係合する。これにより、シリンジ８１の上方への移動が突出爪部３１１ｂにより規制される。すなわち、シリンジ８１が蓋体３に対して抜け止め（固定）される。
【００４５】
そして、全ての保持手段３１に対してシリンジ８１が固定された状態になれば、処方された投薬数と同数のシリンジ８１を使用して自己注射を行ったことを確認することができる。
【００４６】
以上のように、本実施形態の収容具１によれば、キャップ８０付のシリンジ８１を挿入部３００に抜き差しするだけでキャップ８０がシリンジ８１から引き抜かれるため、患者がシリンジ８１からキャップ８０を簡単に取り外すことができ、また、自己注射に使用したシリンジ８１を挿込部３１０に挿し込めば、抜止部３１１により該シリンジ８１が蓋体３に対して抜止されるように構成されているため、処方された投薬数と使用したシリンジ８１の数とを一目で確認することができる。
【００４７】
従って、本実施形態に係る収容具１は、取り扱いが容易であり投薬管理も簡単にできるという優れた効果を奏し得る。
【００４８】
また、本実施形態に係る収容具１では、抜止部３１１が挿込部３１０の開口上に設けられる突出爪部３１１ｂを有し、該突出爪部３１１ｂに、シリンジ８１を直接載置可能な載置面３１１ｃと、載置面３１１ｃの下方側で挿込部３１０に挿し込まれたシリンジ８１の上方側への移動を規制する規制部（本実施形態では、突出爪部３１１ｂの下面）とが含まれているため、載置面３１１ｃ上に載置したシリンジ８１を押し込むと、規制部によりシリンジ８１の上方側への移動が規制される。従って、簡単な操作で使用後のシリンジ８１を蓋体３に固定することができる。
【００４９】
さらに、本実施形態に係る収容具１は、挿入部３００にキャップ８０を挿入した状態で注射器具が傾いた際に、ガイド部９１が周壁部３０３の内周面と挿入部３００の外周面に当接することにより、注射器具が過度に傾かないようにすることができる。従って、挿入部３００の軸線方向に対するシリンジ８１（注射針Ｎの向き）の傾きを抑えることにより、注射針Ｎが曲がってしまったり、注射針Ｎが挿入部３００の内面に接触してしまうことを避けることができる。
【００５０】
また、本実施形態に係る収容具１においては、環状壁部３１２が上端側から下端側になるにつれて内径が徐々に小さくなるように形成されており、さらに、該環状壁部３１２の下端側に抜止部３１１が設けられているため、シリンジ８１のフランジ８１０ｂを抜け止めしている突出爪部３１１ｂをこじることによって、該フランジ８１０ｂと突出爪部３１１ｂとの係合状態を解除することを防止できる。従って、投薬管理の正確性を高めることもできる。また、環状壁部３１２の上端側の方が下端側よりも内径が大きくなっているため、プランジャ８１１を押し込もうとする使用者の指が蓋体３に干渉し難くなる。従って、挿込部３１０に挿し込んだシリンジ８１のプランジャ８１１を押し込み易くなる。
【００５１】
さらに、引抜手段３０、保持手段３１の上端の位置が何れも蓋体３の天面３２よりも低くなっているため、不用意に手が触れたりすること等を防止することもできる。
【００５２】
続いて、本発明の第二実施形態にかかる注射器具用の収容具（以下、収容具と称する）について、添付図面を参照しつつ説明する。
【００５３】
本実施形態に係る収容具４は、図９に示すように、開口が形成された箱本体５と、箱本体５の開口を塞ぐ蓋体６と、蓋体６の上面を開閉するカバー体７とを備えている。なお、本実施形態の収容具４は、キャップ付きシリンジ８を補助具９に取り付けた状態で仮置きし、また、使用後のシリンジ８１を補助具９に取り付けた状態で蓋体６に対して抜け止めできるように構成されている。
【００５４】
なお、本実施形態の補助具９には、補助具本体９０から外方に突出する突出片部９０１が設けられている（図１４参照）。
【００５５】
箱本体５は、図１１に示すように、底面部５０と、該底面部５０の外周縁部全周から起立する立壁部５１と、底面部５０上に立設された筒状の収容筒部５２と、を有する。そのため、箱本体５の開口は、立壁部５１の上端全周によって形成されている。
【００５６】
蓋体６は、図１０に示すように、注射器具を構成するキャップ付きシリンジ８から該キャップ８０を引き抜くための引抜手段６０と、シリンジ８１が取り付けられている補助具９を保持する保持手段６１とを有する。
【００５７】
なお、蓋体６には、天面６２（蓋体６の最も上方側で広がる面）と、該天面６２よりも下方側に位置するベース面６３とが含まれており、天面６２とベース面６３とは段状につながるように形成されている。なお、本実施形態では、ベース面６３の外周縁部から上方に延出し且つ上端が天面６２に連続する面を蓋壁部６４と称する。
【００５８】
引抜手段６０は、図１２に示すように、蓋体６の表面側からキャップ付きシリンジ８が挿入される挿入部６００と、該挿入部６００に挿入されたキャップ８０に係止する係止爪６０１と、挿入部６００周りに広がる受面部６０２と、該受面部６０２の外周縁部全周から起立する周壁部６０３とを有する。
【００５９】
挿入部６００は、筒状であり、内部にキャップ付きシリンジ８を挿入可能となるように構成されている。挿入部６００は、受面部６０２に貫設されており、一方の開口端が受面部６０２の上方に位置し、他方の開口端が受面部６０２の下方に位置するように形成されている。
【００６０】
なお、挿入部６００の内径はキャップ８０の外径よりも大きくなっており、また、挿入部６００の厚みはキャップ８０の外面とガイド部９１との間の隙間よりも小さくなっている。
【００６１】
また、箱本体５に蓋体６が取り付けられている状態においては、挿入部６００が収容筒部５２の上方に配置されるように構成されている。
【００６２】
そのため、本実施形態に係る収容具４は、引抜手段６０によりシリンジ８１から引き抜かれたキャップ８０が挿入部６００から収容筒部５２内へと落下するように構成されている。なお、収容筒部５２の底部から突出部６０１ｂまでの寸法は、処方された投薬数（保持手段６１の数）と同数のキャップ８０を積み重ねた高さと同一又は略同一に設定されている。
【００６３】
係止爪６０１は、挿入部６００の上端から上方に延出する延出部６０１ａと、該係止爪６０１から挿入部６００の軸線方向に対して直交する径方向における内側、すなわち、挿入部６００の径内方向に対応する方向に向けて突出する突出部６０１ｂとを有する。
【００６４】
延出部６０１ａは、可撓性を有しており、挿入部６００の前記径方向に力が作用すると撓むように構成されている。
【００６５】
受面部６０２は、補助具９のガイド部９１が突き当てられる部分である。また、本実施形態では、受面部６０２の上面（蓋体６の表面の一部を構成する面）から突出部６０１ｂまでの寸法が、ガイド部９１の前面からキャップ８０とバレル８１０の間の隙間Ｓまでの寸法と対応するように設定されている。
【００６６】
周壁部６０３は、ガイド部９１の周囲を取り囲むように形成されている。
【００６７】
保持手段６１は、図１３に示すように、シリンジ８１が取り付けられた補助具９が挿し込まれる挿込部６１０と、挿込部６１０上に位置する環状の環状壁部６１１と、該挿込部６１０に挿し込まれた補助具９を抜け止めするための抜止部６１２とを有する。
【００６８】
また、蓋体６には、補助具９を保持可能な状態の保持手段６１が、処方された投薬数と同数設けられている。
【００６９】
挿込部６１０は、筒状であり、一方の開口端が蓋体６の表面側で開口し、他方の開口端が蓋体６の裏面側で開口している。
【００７０】
環状壁部６１１の内径は、挿込部６１０の内径よりも大きくなっている。
【００７１】
抜止部６１２は、環状壁部６１１の内面から内側に突出する突出爪部６１２ａを有する。
【００７２】
突出爪部６１２ａの上面は、補助具９を載置するための載置面６１２ｂとして構成されており、内側になるにつれて徐々に下方側に向かうように傾斜している。また、突出爪部６１２ａの下面は、挿込部６１０に挿し込まれた補助具９（突出片部９０１）の上方側への移動を規制するための規制部として構成されており、突出片部９０１の上面に係合するように構成されている。
【００７３】
カバー体７は、蓋体６のベース面６３上を開閉可能であり、図９に示すように、閉状態において引抜手段６０上を覆う引抜手段カバー部７０と、閉状態において保持手段６１上を覆う保持手段カバー部７１とを有する。
【００７４】
なお、カバー体７では、保持手段カバー部７１が裏面側（閉状態において蓋体６に対向する一面側）に突出するように形成されている。
【００７５】
本実施形態に係る収容具４の構成は、以上の通りである。続いて、収容具４の使用方法について、添付図面を参照しつつ説明する。
【００７６】
保持手段６１には、補助具９のみ（キャップ付きシリンジ８が取り付けられていない補助具９）が仮置きされる。本実施形態では、補助具９を保持可能な保持手段６１のそれぞれに対して、補助具９の突出片部９０１を突出爪部６１２ａ上に重ねて補助具９を配置する。これにより、処方された投薬数と同数の補助具９が収容具４にセットされる。
【００７７】
自己注射を行う際は、保持手段６１から補助具９を引き出し、補助具９にキャップ付きシリンジ８を取り付け、続いて、補助具９に取り付けられているキャップ付きシリンジ８を引抜手段６０の挿入部６００内に挿入し、ガイド部９１の前面を受面部６０２に当接させる。これに伴い、キャップ８０とバレル８１０との間の隙間Ｓに突出部６０１ｂが入り込み、この状態でキャップ付きシリンジ８を補助具９ごと引き上げると、キャップ８０に突出部６０１ｂが係合するため、シリンジ８１からキャップ８０が引き抜かれる。なお、シリンジ８１から引き抜かれたキャップ８０は、収容筒部５２内に落下する。
【００７８】
また、収容筒部５２の底部から突出部３０１ｂまでの寸法（高さ）は、処方された投薬数と同数のキャップ８０を収容可能な寸法積み重ねた高さと同一又は略同一となっているため、処方された投薬数の投薬が完了したことが一目で確認でき、また、新たなキャップ８０を係止爪６０１に係合させることができないようにすることで、処方された投薬数以上のキャップ８０が引抜手段６０を利用して外されてしまうことを防ぐことができる。
【００７９】
自己注射を終えたのち、補助具９からシリンジ８１を取り外さずに、該補助具９を先端側から挿込部６１０内に挿し込む。そして、図１７（ａ）に示すように、補助具９の突出片部９０１を突出爪部６１２ａ上に重ねた後、さらにプランジャ８１１を下方側に押し込むと、該突出片部９０１が突出爪部６１２ａを外方に押し広げながら下方側に移動する。そして、突出片部９０１全体が突出爪部６１２ａの下方側に移動すると、該突出爪部６１２ａが元の位置に戻るため（内側に移動するため）、図１７（ｂ）に示すように、突出片部９０１の上面と突出爪部６１２ａの下面とが係合する。これにより、シリンジ８１及び補助具９の上方への移動が突出爪部６１２ａにより規制される。すなわち、シリンジ８１が間接的に蓋体６に対して抜け止め（固定）される。
【００８０】
そして、全ての保持手段６１に対して補助具９が固定された状態になれば、処方された投薬数と同数のシリンジ８１を使用して自己注射を行ったことを確認することができる。
【００８１】
以上のように、本実施形態の収容具４においても、キャップ８０付きのシリンジ８１を挿入部６００に抜き差しするだけでキャップ８０がシリンジ８１から引き抜かれるため、患者がシリンジ８１からキャップ８０を簡単に取り外すことができ、また、自己注射に使用したシリンジ８１及び補助具９を挿込部６１０に挿し込めば、抜止部６１２により該シリンジ８１及び補助具９が蓋体６に対して抜止されるように構成されているため、処方された投薬数と使用したシリンジ８１の数とを一目で確認することができる。
【００８２】
従って、本実施形態に係る収容具４は、取り扱いが容易であり投薬管理も簡単にできるという優れた効果を奏し得る。
【００８３】
また、本実施形態に係る収容具４では、抜止部６１２が挿込部６１０の開口上に設けられる突出爪部６１２ａを有し、該突出爪部６１２ａに、補助具９を直接載置可能な載置面６１２ｂと、載置面６１２ｂの下方側で挿込部６１０に挿し込まれた補助具９の上方側への移動を規制する規制部（本実施形態では、突出爪部６１２ａの下面）とが含まれているため、載置面６１２ｂ上に載置した補助具９を押し込むと、規制部により補助具９の上方側への移動が規制される。従って、簡単な操作で使用後のシリンジ８１及び補助具９を蓋体６に固定することができる。
【００８４】
さらに、本実施形態に係る収容具４は、挿入部６００にキャップ８０を挿入した状態で注射器具が傾いた際に、ガイド部９１が周壁部６０３と挿入部６００の外周面に当接することにより、注射器具が過度に傾かないようにすることができる。従って、挿入部６００の軸線方向に対するシリンジ８１（注射針Ｎの向き）の傾きを抑えることにより、注射針Ｎが曲がってしまったり、注射針Ｎが挿入部６００の内面に接触してしまうことを避けることができる。
【００８５】
さらに、引抜手段６０、保持手段６１の上端の位置が何れも蓋体６の天面６２よりも低くなっているため、不用意に手が触れたりすること等を防止することもできる。
【００８６】
また、本実施形態に係る収容具４は、蓋体６の上面、より具体的には、蓋体６の引抜手段６０、保持手段６１を含む領域を覆うカバー体７を備えているため、カバー体７を閉状態にすると、保持手段６１に仮置き、若しくは固定されているシリンジ８１及び補助具９の脱落を防止できる。
【００８７】
さらに、カバー体７では、保持手段カバー部７１が裏面側に突出しているため、カバー体７を閉状態にした際に、該保持手段カバー部７１を保持手段６１に仮置き、若しくは固定されているシリンジ８１や補助具９に当接させれば、収容具内でのシリンジ８１や補助具９のガタつきを防止することもできる。
【００８８】
なお、本発明に係る注射器具用の収容具は、上記第一実施形態及び第二実施形態に限定されるものではなく、本発明の要旨を逸脱しない範囲において種々変更を行うことは勿論である。
【００８９】
上記第一実施形態、及び第二実施形態では、保持手段３１、６１が４つ形成されていたが、この構成に限定されない。例えば、保持手段３１、６１は、３つ以下や、５つ以上であってもよい。
【００９０】
上記第一実施形態において、特に言及しなかったが、載置面３１１ｃ上には、使用前のキャップ付きシリンジ８を載置（仮置き）してもよい。
【００９１】
なお、キャップ付きシリンジ８を保持手段３１に仮置きしている状態においては、突出爪部３１１ｂ上にシリンジ８１のフランジ８１０ｂが載置され、使用後のシリンジ８１を保持手段３１で蓋体３に対して抜止している状態においては、突出爪部３１１ｂの下側にシリンジ８１のフランジ８１０ｂが配置される。従って、フランジ８１０ｂと突出爪部３１１ｂとの配置関係を確認することでシリンジ８１の使用状態を簡単に把握することができる。
【００９２】
上記第二実施形態では、保持手段６１に対して補助具９のみ（キャップ付きシリンジ８が取り付けられていない補助具９）を仮置きしていたが、この構成に限定されるものではない。例えば、保持手段６１には、キャップ付きシリンジ８が取り付けられた状態の補助具９が仮置きされていてもよい。
【００９３】
この場合、使用前の補助具９を保持手段６１に仮置きしている状態においては、突出爪部６１２ａ上に補助具９の突出片部９０１が載置され、使用後のシリンジ８１及び補助具９を保持手段６１で蓋体６に対して抜止している状態においては、突出爪部６１２ａの下側に補助具９の突出片部９０１が配置される。従って、補助具９の突出片部９０１と突出爪部６１２ａとの配置関係を確認することでシリンジ８１の使用状態を簡単に把握することができる。
【００９４】
上記第一実施形態において、特に言及しなかったが、収容具１は、収容具１のみで患者に提供されてもよいし、各保持手段３１にキャップ付きシリンジ８を仮置きした注射器具セットとして患者に提供されていてもよい。
【００９５】
また、第二実施形態の収容具４においては、収容具４のみで患者に提供されていてもよいし、キャップ付きシリンジ８を取り付けた補助具９を仮置きした注射器具セットとして患者に提供されていてもよい。
【符号の説明】
【００９６】
１，４…収容具、２，５…箱本体、３，６…蓋体、７…カバー体、８…シリンジ、９…補助具、２０，５０…底面部、２１，５１…立壁部、２２，５２…収容筒部、３０，６０…引抜手段、３１，６１…保持手段、３２，６２…天面、８０…キャップ、８１…シリンジ、８…シリンジ、９０…補助具本体、９１…ガイド部、３００，６００…挿入部、３０１，６０１…係止爪、３０１ａ，６０１ａ…延出部、３０１ｂ，６０１ｂ…突出部、３０２，６０２…受面部、３０３，６０３…周壁部、３１０，６１０…挿込部、３１１，６１２…抜止部、３１１ａ…起立部、３１１ｂ，６１２ａ…突出爪部、３１１ｃ…載置面、３１２…環状壁部、６１１…環状壁部、８１０…バレル、８１０ａ…筒状部、８１０ｂ…フランジ、８１１…プランジャ、９００…収容凹部、９０１…突出片部、Ｎ…注射針、Ｓ…隙間
【図１】
2019111079.tif 000003
【図２】
2019111079.tif 000004
【図３】
2019111079.tif 000005
【図４】
2019111079.tif 000006
【図５】
2019111079.tif 000007
【図６】
2019111079.tif 000008
【図７】
2019111079.tif 000009
【図８】
2019111079.tif 000010
【図９】
2019111079.tif 000011
【図１０】
2019111079.tif 000012
【図１１】
2019111079.tif 000013
【図１２】
2019111079.tif 000014
【図１３】
2019111079.tif 000015
【図１４】
2019111079.tif 000016
【図１５】
2019111079.tif 000017
【図１６】
2019111079.tif 000018
【図１７】
2019111079.tif 000019